(57)【要約】【課題】タコの安定的で効率的な増殖を行うことができるタコ用産卵床、タコ用魚礁、タコ用産卵水槽システム、タコ用孵化水槽システムおよびタコの産卵孵化方法を提供する。【解決手段】タコ用産卵床１００は、産卵床形成体１０１を備えている。産卵床形成体１０１は、可撓性を有する樹脂材を平面視で方形板状に形成して構成されている。この場合、産卵床形成体１０１は、巣穴部９２の内径の円周の長さ以上の長さに形成されている。産卵床形成体１０１は、一方の面に産卵部１０２が形成されるとともに他方の面に巣穴対向部１０３が形成されている。産卵部１０２は、巣穴部９２内においてタコＯが卵Ｅを産み付ける部分であり、平滑な面で構成されている。巣穴対向部１０３は、巣穴部９２を構成する内周面に密着する部分であり、産卵部１０２と同様な平滑な面で構成されている。【選択図】  図９
2018110561.tif 000002
【特許請求の範囲】
【請求項１】
タコが卵を産み付けるためのタコ用産卵床であって、
前記タコが入り込むことができる狭小空間からなる巣穴部を有したタコ用魚礁における前記巣穴部の内周面に対して着脱自在な状態で取り付けられて前記内周面の少なくとも一部を覆って前記タコが卵を産み付ける産卵部を形成する産卵床形成体を備えることを特徴とするタコ用産卵床。
【請求項２】
請求項１に記載したタコ用産卵床において、
前記巣穴部は、筒状に形成されており、
前記産卵床形成体は、可撓性を有する板状に形成されていることを特徴とするタコ用産卵床。
【請求項３】
請求項２に記載したタコ用産卵床において、
前記産卵床形成体は、
平面視で方形に形成されていることを特徴とするタコ用産卵床。
【請求項４】
請求項２または請求項３に記載したタコ用産卵床において、
前記産卵床形成体は、
前記巣穴部の前記内周面の周長以上の長さに形成されていることを特徴とするタコ用産卵床。
【請求項５】
請求項１ないし請求項４のうちのいずれか１つに記載したタコ用産卵床において、
前記産卵床形成体は、
前記産卵部を形成する面および同産卵部とは反対側で前記巣穴部の前記内周面に面する面が平滑に形成されていることを特徴とするタコ用産卵床。
【請求項６】
産卵期を迎えたタコが入り込むことができる狭小空間からなる巣穴部を有したタコ用魚礁であって、
前記巣穴部内に、
請求項１ないし請求項５のうちのいずれか１つに記載のタコ用産卵床を備えることを特徴とするタコ用魚礁。
【請求項７】
産卵期を迎えたタコを飼育するための産卵用水槽と、
前記産卵用水槽内に配置されて前記タコが入り込むことができる狭小空間からなる巣穴部を有したタコ用魚礁と、
請求項１ないし請求項５のうちのいずれか１つに記載のタコ用産卵床とを備えることを特徴とするタコ用産卵水槽システム。
【請求項８】
請求項１ないし請求項５のうちのいずれか１つに記載のタコ用産卵床と、
前記タコ用産卵床を水没させた状態で収容する孵化用水槽と、
前記タコの卵が産み付けられた前記タコ用産卵床を前記孵化用水槽内で保持する産卵床ホルダとを備えることを特徴とするタコ用孵化水槽システム。
【請求項９】
産卵期を迎えたタコを飼育するための産卵用水槽と、
前記産卵用水槽内に配置されて前記タコが入り込むことができる狭小空間からなる巣穴部を有したタコ用魚礁と、
前記請求項１ないし請求項５のうちのいずれか１つに記載のタコ用産卵床と、
前記タコ用産卵床を水没させた状態で収容する孵化用水槽と、
前記タコの卵が産み付けられた前記タコ用産卵床を前記孵化用水槽内で保持する産卵床ホルダとをそれぞれ用意しておき、
前記タコ用産卵床体を前記タコ用魚礁における前記巣穴部内に設置する産卵床設置工程と、
前記タコ用産卵床体が設置された前記タコ用魚礁を前記産卵用水槽内に配置して前記タコを飼育する産卵タコ飼育工程と、
前記タコの卵が産み付けられた前記タコ用産卵床を前記タコ用魚礁から取り外す産卵床回収工程と、
前記タコの卵が産み付けられた前記タコ用産卵床を前記産卵床ホルダを介して前記孵化用水槽内に配置して孵化させる孵化工程とを含むことを特徴とするタコの産卵孵化方法。
【発明の詳細な説明】
【技術分野】
【０００１】
本発明は、タコの産卵および孵化に用いるタコ用産卵床、タコ用魚礁、タコ用産卵水槽システム、タコ用孵化水槽システムおよびタコの産卵孵化方法に関する。
【背景技術】
【０００２】
従来から、タコの安定的で効率的な増殖を目的としてタコの産卵用魚礁が提案されている。例えば、下記特許文献１には、自然石にタコが入り込んで産卵を行う横孔を形成した産卵用魚礁が開示されている。
【先行技術文献】
【特許文献】
【０００３】
【特許文献１】特開２００６−２８８３８１号公報
【０００４】
しかしながら、上記特許文献１に記載されたタコの産卵用魚礁においては、親ダコは横孔内の内周面の最奥部に卵を産み付けるため、人が卵の成育状況を確認したり人工孵化のために卵を採取したりする作業が極めて困難でタコの安定的で効率的な増殖が困難であるという問題がある。特に、日本の東北地方以東の沿岸に生息するヤナギダコは、産卵から孵化まで１年の時間を要するため安定的で効率的な増殖が極めて困難であるという問題があった。
【０００５】
本発明は上記問題に対処するためなされたもので、その目的は、タコの安定的で効率的な増殖を行うことができるタコ用産卵床、タコ用魚礁、タコ用産卵水槽システム、タコ用孵化水槽システムおよびタコの産卵孵化方法を提供することにある。
【発明の概要】
【０００６】
上記目的を達成するため、本発明の特徴は、タコが卵を産み付けるためのタコ用産卵床であって、タコが入り込むことができる狭小空間からなる巣穴部を有したタコ用魚礁における巣穴部の内周面に対して着脱自在な状態で取り付けられて内周面の少なくとも一部を覆ってタコが卵を産み付ける産卵部を形成する産卵床形成体を備えることにある。この場合、産卵床形成体は、巣穴部の内周面における上面および側面のうちの少なくとも一方を覆うように形成されるとよい。
【０００７】
このように構成した本発明の特徴によれば、タコ用産卵床は、タコが卵を産み付ける産卵部を形成する産卵床形成体がタコ用魚礁における巣穴部の内周面に着脱自在な状態で設けられているため、この産卵床形成体を巣穴部内から取り出すことにより容易に卵の状態を確認または卵を採取することができタコの安定的で効率的な増殖を行うことができる。
【０００８】
また、本発明の他の特徴は、前記タコ用産卵床において、巣穴部は、筒状に形成されており、産卵床形成体は、可撓性を有する板状に形成されていることにある。
【０００９】
このように構成した本発明の特徴によれば、タコ用産卵床は、産卵床形成体が可撓性を有する板状に形成されているため、巣穴部内の形状に応じて曲げた状態で配置することができ、産卵床形成体を巣穴部内の形状に応じて変形させて配置できるとともに産卵床形成体の弾性によって産卵床形成体を巣穴部内で位置ずれを生じさせることなく安定的に配置することができる。
【００１０】
また、本発明の他の特徴は、前記タコ用産卵床において、産卵床形成体は、平面視で方形に形成されていることにある。
【００１１】
このように構成した本発明の特徴によれば、タコ用産卵床は、産卵床形成体が平面視で長方形または正方形の方形に形成されているため、産卵床形成体を製作が容易かつ材料の歩留まりが良好になるとともに巣穴内から取り出して人工管理する際に取扱いが容易となる。
【００１２】
また、本発明の他の特徴は、前記タコ用産卵床において、産卵床形成体は、巣穴部の内周面の周長以上の長さに形成されていることにある。
【００１３】
このように構成した本発明の特徴によれば、タコ用産卵床は、産卵床形成体が巣穴部の内周面の周長以上の長さに形成されているため、産卵床形成体を丸めた状態で巣穴部内に配置した際に巣穴部の内周面を周方向に沿って全面を覆って産卵部を形成することができタコが内周面のどの位置に産卵を行っても卵を採取することができる。
【００１４】
また、本発明の他の特徴は、前記タコ用産卵床において、産卵床形成体は、産卵部を形成する面および同産卵部とは反対側で巣穴部の内周面に面する面が平滑に形成されていることにある。
【００１５】
このように構成した本発明の特徴によれば、タコ用産卵床は、卵床形成体における産卵部を形成する面および同産卵部とは反対側で巣穴部の内周面に面する面がそれぞれ平滑に形成されているため、産卵床形成体の巣穴部内への出し入れが行ない易くなるとともに産卵部に産み付けられた卵または孵化後の卵を取り易くすることができる。
【００１６】
また、本発明は、タコ用産卵床の発明として実施できるばかりではなく、タコ用魚礁、タコ用産卵水槽システム、タコ用孵化水槽システムおよびタコの産卵孵化方法の発明としても実施できるものである。
【００１７】
具体的には、タコ用魚礁は、産卵期を迎えたタコが入り込むことができる狭小空間からなる巣穴部を有したタコ用魚礁であって、巣穴部内に、請求項１ないし請求項５のうちのいずれか１つに記載のタコ用産卵床を備えるとよい。これによっても上記発明と同様の作用効果を期待することができる。
【００１８】
また、タコ用産卵水槽システムは、産卵期を迎えたタコを飼育するための産卵用水槽と、産卵用水槽内に配置されてタコが入り込むことができる狭小空間からなる巣穴部を有したタコ用魚礁と、請求項１ないし請求項５のうちのいずれか１つに記載のタコ用産卵床とを備えるとよい。これによっても上記発明と同様の作用効果を期待することができる。
【００１９】
また、タコ用孵化水槽システムは、請求項１ないし請求項５のうちのいずれか１つに記載のタコ用産卵床と、タコ用産卵床を水没させた状態で収容する孵化用水槽と、タコの卵が産み付けられたタコ用産卵床を孵化用水槽内で保持する産卵床ホルダとを備えるとよい。これによっても上記発明と同様の作用効果を期待することができる。
【００２０】
また、タコの産卵孵化方法は、産卵期を迎えたタコを飼育するための産卵用水槽と、産卵用水槽内に配置されてタコが入り込むことができる狭小空間からなる巣穴部を有したタコ用魚礁と、請求項１ないし請求項５のうちのいずれか１つに記載のタコ用産卵床と、タコ用産卵床を水没させた状態で収容する孵化用水槽と、タコの卵が産み付けられたタコ用産卵床を孵化用水槽内で保持する産卵床ホルダとをそれぞれ用意しておき、タコ用産卵床体をタコ用魚礁における巣穴部内に設置する産卵床設置工程と、タコ用産卵床体が設置されたタコ用魚礁を産卵用水槽内に配置してタコを飼育する産卵タコ飼育工程と、タコの卵が産み付けられたタコ用産卵床をタコ用魚礁から取り外す産卵床回収工程と、タコの卵が産み付けられたタコ用産卵床を産卵床ホルダを介して孵化用水槽内に配置して孵化させる孵化工程とを含むようにするとよい。これによっても上記発明と同様の作用効果を期待することができる。
【図面の簡単な説明】
【００２１】
【図１】本発明の一実施形態に係るタコ用産卵床の外観構成を示す斜視図である。
【図２】図１に示すタコ用産卵床を丸めた状態を示す斜視図である。
【図３】図１に示すタコ用産卵床が装着されるタコ用魚礁の外観構成を示す斜視図である。
【図４】図３に示すタコ用魚礁の外観構成を示す正面図である。
【図５】図３に示すタコ用魚礁が配置されるタコ用産卵水槽システムの構成の概略を模式的に示す断面図である。
【図６】図１に示すタコ用産卵床が配置されるタコ用孵化水槽システムの構成の概略を模式的に示す断面図である。
【図７】図６に示すタコ用孵化水槽システムを構成する産卵床ホルダの外観構成を示す斜視図である。
【図８】図７に示す産卵床ホルダにタコ用産卵床を保持させた状態を示す斜視図である。
【図９】図４に示すタコ用魚礁の巣穴部内に卵が産み付けられた状態を示す正面図である。
【図１０】本発明の他の実施形態に係るタコ用産卵床を湾曲させた状態を示す斜視図である。
【図１１】本発明の変形例に係るタコ用産卵床およびタコ用魚礁の外観構成を示す正面図である。
【発明を実施するための形態】
【００２２】
以下、本発明に係るタコ用産卵床、タコ用産卵水槽システム、タコ用孵化水槽システムおよびタコの産卵孵化方法の一実施形態について図面を参照しながら説明する。図１は、本発明に係るタコ用産卵床１００の外観構成を示す斜視図である。また、図２は、図１に示すタコ用産卵床１００を丸めた状態を示す斜視図である。なお、本明細書において参照する図は、本発明の理解を容易にするために一部の構成要素を誇張して表わすなど模式的に表している。このため、各構成要素間の寸法や比率などは異なっていることがある。このタコ用産卵床１００は、タコ用魚礁９０内に設置されてタコＯ（主として、ヤナギダコ、マダコまたはミズダコ）が卵Ｅを産み付ける部分となる器具である。
【００２３】
まず、タコ用産卵床１００を説明する前に、このタコ用産卵床１００が設置されるタコ用魚礁９０について説明しておく。タコ用魚礁９０は、図３および図４にそれぞれ示すように、タコＯが入り込んで産卵を行う狭小空間を提供するための器具であり、魚礁本体９１を備えて構成されている。魚礁本体９１は、巣穴部９２を形成する部品であり、一方が開口するとともに他方が奥壁９３によって閉塞したセラミック製の有底円筒体で構成されている。
【００２４】
巣穴部９２は、タコＯが入り込んで産卵を行う部分であり、円筒面で構成されている。奥壁９３は、巣穴部９２の最奥部を閉塞する部品であり、円板状に形成されている。この奥壁９３には、巣穴部９２内の通水性を確保するための通水孔９３ａが形成されている。
【００２５】
この魚礁本体９１は、生殖能力を備えたタコＯが外敵から自身および卵Ｅを守るために好んで入り込む大きさに形成されている。本実施形態においては、魚礁本体９１は、軸方向の長さが約６００ｍｍの長さに形成されるとともに、巣穴部９２の内径が約１８０ｍｍに形成されている。また、本実施形態においては、タコ用魚礁９０は、３つの魚礁本体９１を互いに径方向に密着した状態で並べて配置されてこれら３つの魚礁本体９１が一体的に繋がって形成されている。すなわち、タコ用魚礁９０は、本実施形態においては、３つの巣穴部９２を有して構成されている。
【００２６】
なお、タコ用魚礁９０は、少なくとも１つの巣穴部９２を有して構成されていればよく、必ずしも上記実施形態に限定されるものではない。したがって、タコ用魚礁９０は、２つ以下または４つ以上の巣穴部９２を有していてもよい。また、タコ用魚礁９０は、巣穴部９２の断面形状が円形以外の形状（例えば、方形形状）に形成されていてもよいし、奥壁９３を有しない貫通孔状に形成されていてもよい。また、タコ用魚礁９０は、セラミック材以外の材料（例えば、樹脂材や金属材料）で構成されていてもよい。
【００２７】
（タコ用産卵床１００の構成）
タコ用産卵床１００は、産卵床形成体１０１を備えている。産卵床形成体１０１は、産卵部１０２を形成するとともにタコ用産卵床１００を巣穴部９２内に固定する部分であり、可撓性を有する樹脂材を平面視で方形板状に形成して構成されている。この場合、産卵床形成体１０１は、巣穴部９２の内径の円周の長さ以上の長さに形成されている。本実施形態においては、産卵床形成体１０１は、透明なアクリル樹脂材を縦横が６００ｍｍ×４５０ｍｍ、厚さが０.５ｍｍの大きさに形成されている。
【００２８】
この産卵床形成体１０１は、一方の面に産卵部１０２が形成されるとともに他方の面に巣穴対向部１０３が形成されている。産卵部１０２は、巣穴部９２内においてタコＯが卵Ｅを産み付ける部分であり、平滑な面で構成されている。この場合、平滑な面とは、人が手で触った際にザラザラ感を感じる梨地またはそれ以下の滑らかな感触が得られる程度の表面粗さの状態をいう。巣穴対向部１０３は、巣穴部９２を構成する内周面に密着する部分であり、産卵部１０２と同様な平滑な面で構成されている。
【００２９】
（タコ用産卵水槽システム２００およびタコ用孵化水槽システム３００の構成）
このように構成されたタコ用産卵床１００は、タコ用産卵水槽システム２００およびタコ用孵化水槽システム３００の各一部を構成する。タコ用産卵水槽システム２００は、図５に示すように、タコ用産卵床１００に対してタコＯに産卵をさせるための飼育設備であり、主として、産卵用水槽２０１を備えている。
【００３０】
産卵用水槽２０１は、産卵期を迎えたタコＯを飼育するための容器であり、ＦＲＰ（繊維強化樹脂）材を上方が開口するとともに所定の深さを有した平面視で長方形状の箱状に形成されている。この産卵用水槽２０１の平面的な大きさや深さは特に限定されないが、本実施形態においては、縦が１ｍ、横が２ｍ、高さが１ｍに形成されており、産卵用水槽２０１内に約０.８ｍの深さで飼育水Ｗが満たされている。また、産卵用水槽２０１は、本実施形態においては、陸上の建屋の中に設置されている。
【００３１】
この産卵用水槽２０１には、長手方向の一方（図示右側）の端部側には、取水管２０２が設けられているとともに、他方（図示左側）の端部には給水管２０５が設けられている。取水管２０２は、産卵用水槽２０１内の飼育水Ｗの一部を吸引して浄化槽２０３に導くための配管である。浄化槽２０３は、取水管２０２によって取り込まれた飼育水Ｗをろ過および殺菌して浄化する機械装置である。この浄化槽２０３によって浄化された飼育水Ｗは、送水ポンプ２０４によって給水管２０５を介して産卵用水槽２０１に戻される。
【００３２】
また、このタコ用産卵水槽システム２００には、産卵用水槽２０１内の飼育水Ｗの水位を一定に保つ排水管、産卵用水槽２０１や浄化槽２０３に酸素を供給するエアレーション設備、飼育水Ｗの塩分、ｐＨ（ペーハ）、温度およびアンモニア濃度を検出する機器などタコＯを飼育するために一般的に必要な他の設備を備えている。しかし、これらの各設備については、本発明に直接関わらないため、その説明は省略する。
【００３３】
タコ用孵化水槽システム３００は、図６に示すように、タコ用産卵床１００に産み付けられたタコＯの卵Ｅが孵化するまでの間卵Ｅを成長させるための孵卵設備であり、主として、孵化用水槽３０１を備えている。孵化用水槽３０１は、タコ用産卵床１００に産み付けられたタコＯの卵Ｅを孵化まで成長させるとともに孵化した稚ダコ（図示せず）を保護するための容器であり、産卵用水槽２０１と同様に、ＦＲＰ（繊維強化樹脂）材を上方が開口するとともに所定の深さを有した平面視で長方形状の箱状に形成されている。この孵化用水槽３０１の平面的な大きさや深さは特に限定されないが、本実施形態においては、縦が１ｍ、横が２ｍ、高さが１ｍに形成されており、孵化用水槽３０１内に約０.８ｍの深さで飼育水Ｗが満たされている。また、孵化用水槽３０１は、本実施形態においては、陸上の建屋の中に設置されている。
【００３４】
この孵化用水槽３０１には、長手方向の一方（図示右側）の端部側には、取水管３０２が設けられているとともに、他方（図示左側）の端部には給水管３０５が設けられている。取水管３０２は、孵化用水槽３０１内の飼育水Ｗの一部を吸引して浄化槽３０３に導くための配管である。浄化槽３０３は、取水管３０２によって取り込まれた飼育水Ｗをろ過および殺菌して浄化する機械装置である。この浄化槽３０３によって浄化された飼育水Ｗは、送水ポンプ３０４によって給水管２０５を介して孵化用水槽３０１に戻される。
【００３５】
また、このタコ用孵化水槽システム３００には、孵化用水槽３０１内の飼育水Ｗの水位を一定に保つ排水管、孵化用水槽３０１や浄化槽３０３に酸素を供給するエアレーション設備、飼育水Ｗの塩分、ｐＨ（ペーハ）、温度およびアンモニア濃度を検出する機器などタコＯの卵Ｅの成育および稚ダコを飼育するために一般的に必要な他の設備を備えている。しかし、これらの各設備については、本発明に直接関わらないため、その説明は省略する。
【００３６】
一方、孵化用水槽３０１内には、産卵床ホルダ３１０が設けられている。産卵床ホルダ３１０は、図７および図８にそれぞれ示すように、タコＯの卵Ｅが産み付けられたタコ用産卵床１００を孵化用水槽３０１内で水没した状態で保持する器具である。具体的には、産卵床ホルダ３１０は、主として、ベース３１１、起立棒３１２および支持フレーム３１３をそれぞれ備えて構成されている。
【００３７】
ベース３１１は、起立棒３１２および支持フレーム３１３をそれぞれ支持するため部品であり、金属製の棒体を平面視で方形の枠状に形成して構成されている。起立棒３１２は、平板状のタコ用産卵床１００を起立させた状態で保持するための部品であり、金属製の棒体で構成されている。この起立棒３１２は、ベース３１１における互いに対向する各辺上にそれぞれ対向した位置に起立した姿勢で各辺の長手方向に沿って複数並んで設けられている。
【００３８】
これにより、起立棒３１２は、互いに隣接し合う起立棒３１２間に挿し入れられたタコ用産卵床１００を起立させた状態で保持することができる。本実施形態においては、起立棒３１２は、互いに対向し合う各辺上にそれぞれ８つずつの起立棒３１２が設けられることにより互いに最大で７つのタコ用産卵床１００を保持することができる。
【００３９】
支持フレーム３１３は、ベース３１１上で起立する各起立棒３１２を安定的に支持するための部品であり、金属製の棒体で構成されている。この支持フレーム３１３は、ベース３１１上で起立するすべての起立棒３１２とベース３１１とを一体的に連結するように屈曲して構成されている。なお、この産卵床ホルダ３１０は、少なくとも一つのタコ用産卵床１００を孵化用水槽３０１内で水没した状態で保持することができればよく、本実施形態に限定されるものではない。
【００４０】
（タコ用産卵床１００、タコ用産卵水槽システム２００およびタコ用孵化水槽システム３００の作動）
次に、このように構成されたタコ用産卵床１００、タコ用産卵水槽システム２００およびタコ用孵化水槽システム３００を用いたタコＯの卵Ｅの採卵および孵化の各作業過程について説明する。
【００４１】
まず、作業者は、タコ用産卵水槽システム２００をセッティングする。具体的には、作業者は、産卵用水槽２０１内を飼育水Ｗ（海水または人工海水）で満たして浄化槽２０３および送水ポンプ２０４をそれぞれ作動させて産卵用水槽２０１内における飼育環境（水質、水温および塩分など）をタコＯを飼育可能な環境に整える（図５参照）。
【００４２】
次に、作業者は、タコ用産卵床１００をタコ用魚礁９０に設置する。具体的には、作業者は、タコ用魚礁９０およびタコ用産卵床１００をそれぞれ用意する。この場合、作業者は、１つのタコ用魚礁９０に対して３つのタコ用産卵床１００を用意する。次いで、作業者は、作業者は、図９に示すように、１つのタコ用産卵床１００を筒状に丸めて１つのタコ用魚礁９０の巣穴部９２内に挿入する（図３参照）。この場合、作業者は、板状のタコ用産卵床１００を筒状に丸めた重ね合わせ部分を巣穴部９２内の底部に配置して板状のタコ用産卵床１００の中央部分が巣穴部９２内の天井部分に位置するようにタコ用産卵床１００を巣穴部９２内に挿入するとよい。なお、図３においては、タコ用産卵床１００および出し入れ方向をそれぞれ二点鎖線で示している。
【００４３】
これにより、巣穴部９２は、周方向の全面が筒状に変形したタコ用産卵床１００によって覆われる。この場合、タコ用産卵床１００筒状に弾性変形しているため、巣穴部９２内で広がろうとする復元力によって巣穴対向部１０３が巣穴部９２の内周面を押圧して巣穴部９２内で位置が前記復元力に応じた力で固定される。このタコ用産卵床１００の各巣穴部９２内への配置作業が、本発明に係る産卵床設置工程に相当する。
【００４４】
次に、作業者は、タコ用産卵床１００が取り付けられたタコ用魚礁９０を産卵用水槽２０１内に設置する。具体的には、作業者は、３つの各巣穴部９２内にタコ用産卵床１００を取り付けたタコ用魚礁９０を飼育水Ｗ中に沈める（図５参照）。この場合、作業者は、３つの各巣穴部９２がそれぞれ水平方向に開口する姿勢でタコ用魚礁９０を産卵用水槽２０１の底部に配置する。次いで、作業者は、タコ用魚礁９０を配置した産卵用水槽２０１内に産卵期を迎えたタコＯを放す。この場合、作業者は、巣穴部９２の総数以下のタコＯを産卵用水槽２０１内に放す。これにより、産卵用水槽２０１内に放されたタコＯは好みの巣穴部９２内に進入する。このタコ用魚礁９０を産卵用水槽２０１内に設置してタコＯを飼育する作業が、本発明に係る産卵タコ飼育工程に相当する。
【００４５】
次に、作業者は、タコＯの産卵を監視する。具体的には、作業者は、定期的にタコ用魚礁９０の巣穴部９２内を確認してタコＯが産卵したか否かを監視する。この場合、作業者は、巣穴部９２内からタコ用産卵床１００の一部または全部を抜き出して産卵の状態を確認することができる。
【００４６】
一方、巣穴部９２内のタコＯは、タコＯ自身が決めたタイミングで産卵を行う。この場合、タコＯの卵Ｅは、巣穴部９２の周方向の内周面がタコ用産卵床１００によって覆われているため、産卵部１０２の表面に産み付けられる（図９参照）。なお、この場合、タコＯがヤナギダコの場合、巣穴部９２内における天井部分から左右の側壁部分に掛けての範囲に卵Ｅが吊り下がった状態で産み付けることが多い。
【００４７】
次に、作業者は、タコＯの産卵を確認した場合には、タコ用孵化水槽システム３００をセッティングする。具体的には、作業者は、孵化用水槽３０１内を飼育水Ｗ（海水または人工海水）で満たして浄化槽３０３および送水ポンプ３０４をそれぞれ作動させて孵化用水槽３０１内における飼育環境（水質、水温および塩分など）を卵Ｅの孵化までの成長に必要な環境に整える（図６参照）。また、作業者は、産卵床ホルダ３１０を用意する。
【００４８】
次に、作業者は、タコ用産卵床１００をタコ用魚礁９０から取り外す。具体的には、作業者は、タコ用魚礁９０の巣穴部９２内からタコ用産卵床１００を抜き取る（図３参照）。この場合、作業者は、タコ用産卵床１００の抜き取り作業を産卵用水槽２０１内でまたは産卵用水槽２０１内から取り出したタコ用魚礁９０に対して行うことができる。これにより、タコ用産卵床１００は、筒状から広がって板状に形状が復元される（図８参照）。この場合、作業者は、タコ用産卵床１００が板状に広がるため、タコ用産卵床１００に吸着したタコＯを容易に引き剥がすことができる。このタコ用魚礁９０からタコ用産卵床１００を取り外す作業が、本発明に係る産卵床回収工程に相当する。
【００４９】
次に、作業者は、卵Ｅを孵化させる。具体的には、作業者は、卵Ｅが産み付けられたタコ用産卵床１００を産卵床ホルダ３１０に保持させた状態で孵化用水槽３０１内に沈める（図６および図８参照）。この場合、作業者は、卵Ｅがタコ用産卵床１００の産卵部１０２から吊り下がった状態となるようにタコ用産卵床１００および産卵床ホルダ３１０を孵化用水槽３０１内に設置するとよい。
【００５０】
次いで、作業者は、卵Ｅが孵化するまでの間、孵化用水槽３０１内の環境および卵Ｅの状態を監視する。この場合、作業者は、本実施形態においては、タコ用産卵床１００が起立した状態で産卵床ホルダ３１０によって支持されているため、卵Ｅの状態を確認し易い。そして、卵Ｅが孵化した場合には、作業者は孵化用水槽３０１内を浮遊する稚ダコ（図示せず）を網など用いて捕獲した後、稚ダコを飼育するための飼育槽に移す。また、作業者は、タコ用産卵床１００に産み付けられた卵Ｅの孵化が終了した場合には、タコ用産卵床１００を清掃することにより再度タコ用産卵床１００として使用することができる。この卵Ｅを孵化させる作業が、本発明に係る孵化工程に相当する。
【００５１】
上記作動説明からも理解できるように、上記実施形態によれば、タコＯが卵Ｅを産み付ける産卵部１０２を形成する産卵床形成体１０１がタコ用魚礁９０における巣穴部９２の内周面に着脱自在な状態で設けられているため、この産卵床形成体１０１を巣穴部９２内から取り出すことにより容易に卵Ｅの状態を確認または卵Ｅを採取することができタコＯの安定的で効率的な増殖を行うことができる。
【００５２】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００５３】
例えば、上記実施形態においては、タコ用産卵床１００は、可撓性を有する板状に形成した。しかし、タコ用産卵床１００は、巣穴部９２を構成する魚礁本体９１の内周面に対して着脱自在な状態で取り付けられて内周面の少なくとも一部を覆ってタコＯが卵を産み付ける産卵部１０２を有していれば、必ずしも上記実施形態に限定されるものではない。
【００５４】
したがって、タコ用産卵床１００は、例えば、可撓性を有するまたは可撓性を有しない各剛体からなる平面視で方形以外の平板状、例えば、円状、楕円状または多角形状のほか、曲面状に形成することもできる。また、タコ用産卵床１００は、例えば、可撓性を有するまたは可撓性を有しない各剛体からなる断面形状が円形、方形または多角形状の筒体で構成することもできる。
【００５５】
また、上記実施形態においては、タコ用産卵床１００は、巣穴部９２の内径の円周の長さ以上の長さに形成されて巣穴部９２内に円筒状に丸めて挿入した。しかし、タコ用産卵床１００は、図１０に示すように、巣穴部９２の内径の円周の長さ未満の長さに形成されて巣穴部９２内に湾曲した状態で挿入するようにしてもよい。これによれば、タコ用産卵床１００は、筒状に変形される上記実施形態に係るタコ用産卵床１００よりも容易に巣穴部９２に脱着することができる。なお、タコ用産卵床１００を巣穴部９２内に設置する際の変形には、弾性変形のみではなく塑性変形も含まれるものである。
【００５６】
また、タコ用産卵床１００は、図１１に示すように、平面視で方形の板状に形成することができる。この場合、タコ用魚礁９０は、正面視で方形状の有底筒状に形成するとともに、巣穴部９２における天井部の両端部にタコ用産卵床１００を挿し込み可能な溝状の保持部９４を設けておく。そして、作業者は、板状のタコ用産卵床１００を変形させることなく保持部９４内に挿し込むことで巣穴部９２内に着脱自在に取り付けることもできる。これによれば、タコ用産卵床１００は、筒状や曲面状に変形されるタコ用産卵床１００に比べてより容易に巣穴部９２に脱着することができる。
【００５７】
また、上記実施形態においては、タコ用産卵床１００は、透明なアクリル樹脂材で構成した。しかし、タコ用産卵床１００は、アクリル樹脂以外の樹脂材、例えば、ポリ塩化ビニル樹脂、ポリエーテルエーテルケトン樹脂（ＰＥＥＫ）、ポリイミド樹脂（ＰＩ）、ポリアセタール樹脂（ＰＯＭ）、ポリ塩化ビニル樹脂（ＰＶＣ）、ポリウレタン樹脂（ＰＵＲ）、ポリカーボネート樹脂（ＰＣ）、ポリスチレン樹脂（ＰＳ）、ナイロン樹脂（ＰＡ−６Ｔ，９Ｔ）またはポリプロピレン（ＰＰ）などで構成してもよいし、樹脂材以外の材料（例えば、金属材料（鉄、非鉄、軽金属）、木材、ガラス材、ゴム材または紙材）で構成することができる。また、タコ用産卵床１００は、透明以外の材料、例えば、半透明または不透明な材料で構成することもできる。
【００５８】
また、上記実施形態においては、タコＯの卵Ｅが産み付けられたタコ用産卵床１００をそのまま産卵床ホルダ３１０で保持するように構成した。しかし、タコ用産卵床１００は、ハサミおよびカッターなどの切断道具を用いて人手によって切断可能な材料で構成することができる。これによれば、タコ用産卵床１００は、タコ用魚礁９０から取り出した後、卵Ｅが産み付けられた部分のみを切り取って産卵床ホルダ３１０に保持させることもできる。これによれば、タコ用産卵床１００は、孵化用水槽３０１および産卵床ホルダ３１０の構成を小型化することができる。
【００５９】
また、上記実施形態においては、産卵用水槽２０１と孵化用水槽３０１とを別体で構成した。しかし、産卵用水槽２０１と孵化用水槽３０１とを１つの水槽で共用することもできる。
【符号の説明】
【００６０】
Ｏ…タコ、Ｅ…卵、Ｗ…飼育水、
９０…タコ用魚礁、９１…魚礁本体、９２…巣穴部、９３…奥壁、９３ａ…通水孔、９４…保持部、
１００…タコ用産卵床、１０１…産卵床形成体、１０２…産卵部、１０３…巣穴対向部、
２００…タコ用産卵水槽システム、２０１…産卵用水槽、２０２…取水管、２０３…浄化槽、２０４…送水ポンプ、２０５…給水管、
３００…タコ用孵化水槽システム、３０１…孵化用水槽、３０２…取水管、３０３…浄化槽、３０４…送水ポンプ、３０５…給水管、
３１０…産卵床ホルダ、３１１…ベース、３１２…起立棒、３１３…支持フレーム。
【図１】
2018110561.tif 000003
【図２】
2018110561.tif 000004
【図３】
2018110561.tif 000005
【図４】
2018110561.tif 000006
【図５】
2018110561.tif 000007
【図６】
2018110561.tif 000008
【図７】
2018110561.tif 000009
【図８】
2018110561.tif 000010
【図９】
2018110561.tif 000011
【図１０】
2018110561.tif 000012
【図１１】
2018110561.tif 000013